(57)【特許請求の範囲】
【請求項１】
穀類を搬送可能な螺旋体を回転自在に内装したスクリュウコンベヤ構造の搬送筒体と、該螺旋体を搬送回転させるモータと、該搬送筒体の一方端部に設けられ、穀類を給送する穀類給送管が挿通される導入口部と、該搬送筒体の他方端部に設けられた導出口部とを備えてなり、上記導入口部に上記穀類給送管の挿通方向に応じて導入口部の導入方向を調節可能な方向調節機構を設けてなり、該方向調節機構として、上記導入口部の基筒体に軸線が折曲した折曲筒体の一方縁部を回動自在に連結し、該折曲筒体の他方縁部に軸線が折曲した先端筒体の基端縁部を回動自在に連結し、該先端筒体に上記穀類給送管を挿通してなり、該折曲筒体の軸線の折曲角度と先端筒体の軸線の折曲角度とが同角度であることを特徴とする穀類搬送機。
【発明の詳細な説明】
【０００１】
【発明の属する技術分野】
本発明は例えば穀類乾燥機内の籾等の穀類を貯蔵タンクへ搬送する際に用いられる穀類搬送機に関するものである。
【０００２】
【従来の技術】
従来この種の穀類搬送機して、穀類を搬送可能な螺旋体を回転自在に内装したスクリュウコンベヤ構造の搬送筒体と、該螺旋体を搬送回転させるモータと、該搬送筒体の一方端部に設けられ、穀類を給送する可撓性を有する穀類給送管が挿通される導入口部と、該搬送筒体の他方端部に設けられた導出口部とを備えてなる構造のものが知られている。
【０００３】
【発明が解決しようとする課題】
しかしながらこれら従来構造の場合、例えば、上記導入口部と穀類乾燥機からの穀類を給送する穀類給送管との相対位置は搬送条件により不定であることから、上記導入口部の導入方向に対する上記穀類給送管の挿通方向とのなす角度が大きくなり、穀類搬送管が無理に折曲された状態で導入口部に内挿通されることがあり、このため、穀類給送管内での穀類の詰まり現象が生じ、穀類搬送が不円滑となることがあるという不都合を有している。
【０００４】
【課題を解決するための手段】
本発明はこれらの課題を解決することを目的とするもので、本発明のうちで、請求項１記載の発明は、穀類を搬送可能な螺旋体を回転自在に内装したスクリュウコンベヤ構造の搬送筒体と、該螺旋体を搬送回転させるモータと、該搬送筒体の一方端部に設けられ、穀類を給送する穀類給送管が挿通される導入口部と、該搬送筒体の他方端部に設けられた導出口部とを備えてなり、上記導入口部に上記穀類給送管の挿通方向に応じて導入口部の導入方向を調節可能な方向調節機構を設けてなり、該方向調節機構として、上記導入口部の基筒体に軸線が折曲した折曲筒体の一方縁部を回動自在に連結し、該折曲筒体の他方縁部に軸線が折曲した先端筒体の基端縁部を回動自在に連結し、該先端筒体に上記穀類給送管を挿通してなり、該折曲筒体の軸線の折曲角度と先端筒体の軸線の折曲角度とが同角度であることを特徴とする穀類搬送機である。
【０００５】
【発明の実施の形態】
図１乃至図６は本発明の実施の形態例を示し、１は搬送筒体であって、籾等の穀類Ｗを搬送可能な螺旋体２が回転自在に内装されてスクリュウコンベヤ構造に形成され、搬送筒体１に螺旋体２を搬送回転させるモータ３を配設し、搬送筒体１の一方端部に例えば穀類乾燥機Ｋから穀類Ｗを給送する穀類給送管４が内挿通される導入口部５を設けると共に搬送筒体１の他方端部に導出口部６を設け、導入口部５から搬送筒体１内を介して導出口部６へと螺旋体２の搬送回転により穀類を搬送するように構成している。この場合、搬送筒体１に対して導入口部５及び導出口部６を螺旋体２の回転軸線Ｄの廻りにそれぞれ回動調節固定自在に構成している。
【０００６】
７は方向調節機構であって、この場合、上記導入口部５の基筒体５ａの内縁面に筒鍔体７ａを固着し、軸線ＬがＯ点で折曲した折曲筒体７ｂの一方縁部に挟装鍔体７ｃを固着すると共に挟装鍔体７ｃに挟装鍔体７ｄを固着して折曲筒体７ｂを挟装鍔体７ｃ及び挟装鍔体７ｄにより遊挟装し、これにより上記導入口部５の基筒体５ａに折曲筒体７ｂの一方端部を回動自在に連結し、かつ、軸線ＭがＦ点で折曲した先端筒体５ｂの基端縁部の内縁面に筒鍔体７ｅを固着し、折曲筒体７ｂの他方縁部に挟装鍔体７ｆを固着すると共に挟装鍔体７ｆに挟装鍔体７ｇを固着して折曲筒体７ｂを挟装鍔体７ｆ及び挟装鍔体７ｇにより遊挟装し、これにより折曲筒体７ｂの他方端部に軸線Ｍが折曲した先端筒体５ｂの基端縁部を回動自在に連結し、先端筒体５ｂに穀類給送管４を内挿通し、しかして、穀類給送管４の挿通方向に応じて導入口部５の導入方向を調節可能に構成している。
【０００７】
この場合、上記折曲筒体７ｂの軸線Ｌの折曲角度θと先端筒体５ｂの軸線Ｍの折曲角度θとが同角度となっている。
【０００８】
しかして、図４に示す基筒体５ａの軸線と先端筒体５ｂの軸線とが２θ度の角度傾いた状態、図５に示す導入口部５の導入方向が０度、即ち、基筒体５ａの軸線と先端筒体５ｂの軸線とが同方向の状態、同じく図６に示す導入口部５の導入方向が０度の状態の如く、折曲筒体７ｂ及び先端筒体５ｂを回動することにより導入口部５の導入方向を０度から２θの角度範囲で傾き及び方向を可変調節するように構成している。
【０００９】
この実施の形態例は上記構成であるから、図２、図３の如く、例えば穀類乾燥機Ｋから穀類Ｗを給送する穀類給送管４を導入口部５に内挿通し、搬送筒体１の他方端部の導出口部６に別の搬送装置Ｓを接続し、導入口部５から搬送筒体１内、導出口部６及び別の搬送装置Ｓを介して貯蔵タンクへ搬送することになり、この際、上記導入口部５に上記穀類給送管４の挿通方向に応じて導入口部の導入方向を調節可能な方向調節機構７を設けてなるから、導入口部５と穀類乾燥機Ｋからの穀類を給送する穀類給送管４との相対位置に応じて導入口部５の導入方向を調節することができ、このため穀類搬送管４が無理に折曲された状態で導入口部５に内挿通されることを回避することができ、穀類給送管４内での穀類Ｗの詰まり現象を抑制することができ、穀類搬送の円滑化を図ることができる。
【００１０】
この場合、上記方向調節機構７として、上記導入口部５の基筒体５ａに軸線Ｌが折曲した折曲筒体７ｂの一方縁部を回動自在に連結し、折曲筒体７ｂの他方縁部に軸線Ｍが折曲した先端筒体５ｂの基端縁部を回動自在に連結し、先端筒体５ｂに上記穀類給送管４を内挿通してなるから、折曲筒体７ｂ及び先端筒体５ｂを回動することにより導入口部５の導入方向を容易に可変調節することができ、又、この場合、上記折曲筒体７ｂの軸線Ｌの折曲角度θと先端筒体５ｂの軸線Ｍの折曲角度θとが同角度となっているから、基筒体５ａの軸線と先端筒体５ｂの軸線とが同方向の状態に設定することができ、収納保管時等の不使用時の利便性を高めることができる。
【００１１】
尚、本発明は上記実施の形態例に限られるものではなく、例えば搬送筒体の形態や構造並び方向調節機構７の構造等は適宜設計して変更される。
【００１２】
【発明の効果】
本発明は上述の如く、請求項１記載の記載の発明にあっては、例えば穀類乾燥機から穀類を給送する穀類給送管を導入口部に挿通し、導入口部から搬送筒体内及び導出口部を介して貯蔵タンクへ搬送することになり、この際、上記導入口部に上記穀類給送管の挿通方向に応じて導入口部の導入方向を調節可能な方向調節機構を設けてなるから、導入口部と穀類乾燥機からの穀類を給送する穀類給送管との相対位置に応じて導入口部の導入方向を調節することができ、このため穀類搬送管が無理に折曲された状態で導入口部に挿通されることを回避することができ、穀類給送管内での穀類の詰まり現象を抑制することができ、穀類搬送の円滑化を図ることができ、かつ、該方向調節機構として、上記導入口部の基筒体に軸線が折曲した折曲筒体の一方縁部を回動自在に連結し、折曲筒体の他方縁部に軸線が折曲した先端筒体の基端縁部を回動自在に連結し、先端筒体に上記穀類給送管を挿通してなるから、折曲筒体及び先端筒体を回動することにより導入口部の導入方向を容易に可変調節することができ、更に、該折曲筒体の軸線の折曲角度と先端筒体の軸線の折曲角度とが同角度となっているから、基筒体の軸線と先端筒体の軸線とが同方向になる状態に設定することができ、それだけ、収納保管時等の不使用時の利便性を高めることができる。
【００１３】
以上の如く、所期の目的を充分達成することができる。
【図面の簡単な説明】
【図１】  本発明の実施の形態例の全体斜視図である。
【図２】  本発明の実施の形態例の使用状態の側面図である。
【図３】  本発明の実施の形態例の部分側断面図である。
【図４】  本発明の実施の形態例の拡大側断面図である。
【図５】  本発明の実施の形態例の拡大側断面図である。
【図６】  本発明の実施の形態例の拡大側断面図である。
【符号の説明】
Ｗ  穀類
θ  折曲角度
Ｌ  軸線
Ｍ  軸線
１  搬送筒体
２  螺旋体
３  モータ
４  穀類給送管
５  導入口部
６  導出口部
７  方向調節機構
【図１】
0004140206.tif 000002
【図２】
0004140206.tif 000003
【図３】
0004140206.tif 000004
【図４】
0004140206.tif 000005
【図５】
0004140206.tif 000006
【図６】
0004140206.tif 000007